(57)【要約】中空の磁石システム（８）と、ばね接点（３７、３８）を保持するために内側区域（２１）内に保持される接点保持手段（２２）とをもつ電気音響変換器において、前記接点保持手段（２２）は２つの好適には同一の接点保持素子（２３、２４）からなり、前記接点保持素子は２つの同一形状の境界面（２６、２８）に沿って互いに隣接しており、各接点保持素子（２３、２４）はその境界面（２６、２８）に向かって開いている保持チャンバ（２９、３０）をもち、各保持チャンバ（２９、３０）は境界面（２６、２８）の側から保持チャンバ（２９、３０）内に挿入されたばね接点（３７、３８）を収容している。
2004512753.tif 000002
【特許請求の範囲】
【請求項１】
電気音響変換器において、該電気音響変換器はが、
磁石システムをもち、この磁石システムは、変換器軸線に関して実質上中心対称性を有し、かつ実質上中空の円筒形をなし、変換器軸線を横切って延びる平面に平行に配置された環状磁石を含み、この磁石システムは内側領域を包囲しており、更に該電気音響変換器は、
接点保持手段をもち、この接点保持手段は、少なくともその大部分が内側領域内に収容されかつ内側領域内に保持されており、更に該電気音響変換器は、
変換器の電気接続用の２つのばね接点をもち、それらのばね接点は接点保持手段の助けをかりて保持され、かつ少なくとも１つの湾曲部を形成されており、
前記接点保持手段が２つの接点保持素子をもち、前記接点保持素子は平面を横切って延びる２つの同じ形状の境界面に沿って互いに隣接しており、
各接点保持素子はその境界面に向かって開いている保持チャンバをもち、
各接点保持素子の保持チャンバは境界面の側から保持チャンバ内に挿入されたばね接点を収容することを特徴とする電気音響変換器。
【請求項２】
２つの接点保持素子は変換器軸線に平行に延びる２つの境界面に沿って互いに隣接していることを特徴とする請求項１に記載の変換器。
【請求項３】
２つの接点保持素子は変換器軸線を通って延びる２つの境界面に沿って互いに隣接していることを特徴とする請求項２に記載の変換器。
【請求項４】
２つの接点保持素子は全く同じであることを特徴とする請求項３に記載の変換器。
【請求項５】
境界面の区域に、各接点保持素子は境界面から突出する隆起部分と、境界面で終端する凹所をもち、各区接点保持素子の隆起部分は他方の接点保持素子の凹所に掛合することを特徴とする請求項１に記載の変換器。
【請求項６】
各接点保持素子の隆起部分は他方の接点保持素子中に保持されたばね接点の一部分を固定するよう適用されることを特徴とする請求項５に記載の変換器。
【請求項７】
各ばね接点は平面に実質上平行に延びる第１部分をもち、かつ第１部分に関して曲げられており、かつ平面を横切って延びかつＵ形の第３部分をもつ第２部分をもち、前記Ｕ形の第３部分は第２部分から突出し、第３部分は第２部分に関して曲がっている第１の脚部と、第１の脚部に関して曲がっている第２の脚部をもち、前記第２脚部の自由端は番い合う接点と掛合するよう適用されることを特徴とする請求項１に記載の変換器。
【請求項８】
２つの接点保持素子は一緒に実質上円筒形の接点保持手段を形成し、この接点保持手段は磁石システムの内側領域に圧入されることを特徴とする請求項１に記載の変換器。
【発明の詳細な説明】
【０００１】
本発明は実質上中空の対称性の磁石システムと接点保持手段をもち、接点保持手段が磁石システムの内側領域に保持されかつ変換器の電気接続用のばね接点を保持して成る電気音響変換器に関するものである。
【０００２】
本文冒頭に記載した型式の変換器は例えば特許文献、ＷＯ９８／３８８３２Ａｌから既知である。この既知の変換器では、接点保持手段は底壁と、この底壁の周囲区域で底壁に一体に連結されている中空の円筒形円周壁とをもつポット形の接点保持器によって形成されている。２つの実質上Ｕ形のばね接点はポット形の接点保持器中に据え付けられ、前記ばね接点の１つの脚部は底壁に平行に延びかつ接点保持器の底壁を通して延びる端子突起をもつ。この既知の変換器では、２つのばね接点はポット形接点保持器内に変換器軸線の方向に挿入されなければならず、またポット形接点保持器中に、別個の手段によって、例えば相互連結する連結部または接着剤接合の助けをかりて、保持されなければならない。前記既知の変換器から既知の構造にはそれ自体多くの実施時間が試された。
【０００３】
かかる変換器は一層小型化する傾向があるために、既知構造を更に小型化する場合、ポット形接点保持器の底壁と円周壁の厚さは小さくなり、その結果、ポット形接点保持器の強度について問題が生じ、プラスチックのポット形接点保持器の製造において製造の問題が生じ、更に、ポット形接点保持器中にばね接点を組み立てて、締め付けることについて問題が生じることとなって、上述の既知の構造は制限を受けることになる。
【０００４】
本発明の目的は、かかる変換器の一層の小型化を可能にし、かつ更なる小型化の代わりに、接点保持手段の区域に安定した構造を保証する本文冒頭に記載した型式の変換器の改良構造を提供することにある。
【０００５】
上述の目的を達成するために、以下の説明で規定されるように特徴付けられる如き本発明の特徴的構成が本発明の変換器に備えられる。
【０００６】
電気音響変換器は磁石システムをもち、この磁石システムは、変換器軸線に関して実質上中心対称性を有し、かつ実質上中空の円筒形をなし、変換器軸線を横切って延びる平面に平行に配置された環状磁石を含み、この磁石システムは内側領域を囲んでおり、更に、該電気音響変換器は接点保持手段をもち、この接点保持手段は、少なくともその大部分が内側領域に収容され、かつ内側領域内に保持されており、更に、該電気音響変換器は変換器の電気接続用の２つのばね接点をもち、それらのばね接点は接点保持手段の助けをかりて保持され、かつ少なくとも１つの湾曲部を形成されており、前記接点保持手段は２つの接点保持素子をもち、これらの接点保持素子は平面を横切って延びる２つの同じ形状の境界面に沿って互いに隣接しており、各接点保持素子はその境界面に向かって開いている保持チャンバをもち、各接点保持素子の保持チャンバは境界面の側から保持チャンバ内に挿入されたばね接点を収容する。
【０００７】
本発明の手段を備えた結果、非常に小さい寸法の場合でも、高い機械的安定性をもつ接点保持手段の構造を構造的に非常に簡単な安価な手法で得ることができる。更に、これは接点保持素子とは別に、追加の手段をばね接点を保持するために要求しないという利点をもつ。。それはばね接点が接点保持素子と相互連結することによって簡単に保持されるからである。
【０００８】
本発明の変換器は２つの接点保持素子と２つのばね接点を含むのみならず、同様に３つまたは４つの接点保持素子を、従って３つまたは４つのばね接点を設けることもできる。本発明の変換器では、接点保持素子の境界面に沿って接点保持素子は互いに隣接しており、これらの接点保持素子の境界面は環状磁石の平面に関して傾斜した形状をもつことができ、この形状は平らな境界面に対応するが、しかし湾曲した境界面にも対応することができる。しかし、好適には２つの接点保持素子が、変換器軸線に平行に延びかつ好適には変換器軸線を通って延びる２つの境界面に沿って、互いに隣接するときには極めて有利であることが証明された。それは接点保持素子の構造ができるだけ簡単であるために有利である。
【０００９】
本発明の変換器の２つの接点保持素子が全く同じであるときには、特に有利である。それは、コスト的に効果的な製造の点から見て、なかんづく、簡単な自動化製造プロセスの点から見て、特に有利である。
【００１０】
更に、各接点保持素子はその境界面の区域に隆起部分と凹所をもつときには有利であることが証明された。それは、これらの手段はお互いに関して接点保持素子を簡単に位置決めすることを保証するからである。
【００１１】
これに関連して、１つの接点保持素子の隆起部分が他方の接点保持素子中のばね接点の一部分を固定するために使用されるときには、極めて有利であることが更に証明された。これはまた、ばね接点の信頼性ある位置決めに加えて、ばね接点が保持チャンバ内に十分深く挿入されていない場合に有利である。
【００１２】
各ばね接点が第１部分と第２部分およびＵ形の第３部分をもつときには、極めて有利であることが試験により証明された。それは、かかる構造が特に信頼性ある保持と特に信頼性ある接触を保証するからである。
【００１３】
本発明の変換器では、接点保持手段を形成するために組み合わされた２つの接点保持素子は変換器軸線を横切る方向に例えば方形断面形状の接点保持手段を形成することができる。しかし、２つの接点保持素子が一緒に実質上円筒形の接点保持手段を形成するときには、特に有利であることが証明された。この実質上円筒形の接点保持手段は磁石システムの内側領域内に圧入される。それは、特に信頼性ある保持と、接点保持手段の、従ってばね接点の正確な位置決めを保証するからである。
【００１４】
本発明の上記およびその他の態様は以下説明する実施例から明らかになるだろう。
以下、本発明はその実施例を示す図に基づいて詳述されるが、本発明はそれらに限定されないことは言うまでもない。
【００１５】
図１は変換器軸線２をもつダイナミック電気音響変換器１を示す。変換器１の個々の部品を収容して保持するために、この変換器はプラスチックハウジング３を含む。ハウジング３は実質上、中空円筒形の円周壁４を含み、この壁は頂部で幅狭の環状の境界壁５に移り変わり、かつ底部に３つの据え付け用突出部をもつ。前記突出部は互いに等しい角度だけ離間しており、図１にはそれらのうちの２つの据え付け用突出部６、７だけを示している。変換器１の組み立て前に、据え付け用突出部６、７は円周壁４から軸線方向に突出し、変換器１のすべての部品がハウジング３内に据え付けられた後、前記突出部は超音波法によって曲げられる。
【００１６】
変換器１は実質上中空円筒形の磁石システム８をもち、この磁石システムは変換器軸線２に関して実質上中心対称性であり、その構造は図１から明らかである。磁石システム８は環状の磁石９をもち、この環状磁石は平面１０に平行に配置されており、この平面は、本例の場合、変換器軸線２に対して正確に直角に横に延びかつその上側でカバーディスク１１にかつ下側でヨーク１３の環状のコアディスク１２に隣接している。ヨーク１３は環状のコアディスク１２およびそれに加えて、中空の円筒形ヨーク部分１４を含み、コアディスク１２から遠方の側にある前記ヨーク部分の端はカバーディスク１１の区域に延び入り、即ち、環状空気間隙１５がカバーディスク１１とヨーク部分１４の間に形成されるようになされる。
【００１７】
コイルワイヤから巻かれた音声コイル１６が空気間隙１５中に配置されており、これは図２には概略的にのみ示されている。それはコイルワイヤから巻かれたかかるコイルの構造は一般的に知られているからである。既知の手法で、音声コイル１６はダイアフラム１７に接着剤継ぎ手によって固定される。このダイアフラムは変換器軸線２の方向に偏位運動することができる。ダイアフラム１７は湾曲した中心部分１８と、環状の周囲部分１９を含み、この環状周囲部分はその縁領域８で接着剤によってカバーディスク１１に連結されている。この縁領域はハウジング３の幅狭の環状境界壁５とカバーディスク１１の間に横たわっている。
【００１８】
図１に示す変換器１では、カバーディスク１１、環状磁石９、ヨーク１３のコアディスク１２、およびダイアフラム１７はすべて同じ直径をもち、その直径はハウジング３の円周壁４の内径に正確に適合していて、ヨーク１３のコアディスク１２、環状磁石９、およびカバーディスク１１が、従ってまたダイアフラム１７もがハウジング３の円周壁４によって変換器軸線２に関して正確に位置決めされるようになされている。また、このことは、空気間隙１５中の音声コイル１６の正確な位置決めをもたらし、従って常に音声コイル１６の妨げられない振動が保証されることになる。また、コイルワイヤから作られた音声コイル１６は２つのコイルリードをもち、その内の１つのリード２０だけが図１に示されている。
【００１９】
変換器１では、中空の円筒形の磁石システム８は図１に見られる如く、内側領域２１を包囲する。接点保持手段２２の大部分はこの内側領域２１内に収容、保持される。この接点保持手段２２は図１中にブロック図として概略的にのみ示されている。接点保持手段２２は図２、３中に全体的にかつ詳細に示されている。図４、５は各々接点保持手段２２の半分のみを示し、即ち接点保持素子とそれが保持しているばね接点を一緒に示している。
【００２０】
図１に示す変換器１では、接点保持手段２２は２つの接点保持素子２３、２４を含む。２つの接点保持素子２３、２４の各々は、実質上半円筒形の形状そもつ。その結果、第１の接点保持素子２３は半円筒形周面２５と平らな境界面２６によって、即ち境界平面２６によって境界付けられており、この境界平面は変換器軸線２を通って延びている。同様に、第２の接点保持素子は半円筒形周面２７と平らな境界面２８によって、即ち変換器軸線２を通って延びている境界平面２８によって境界付けられている。２つの接点保持素子２３、２４は２つの同じ形状の平らな境界面２６、２８に沿って、互いに隣接しており、これらの境界面は横に、即ち平面１０に対して直角をなして延びている。従って、２つの接点保持素子２３、２４は一緒に円筒形の接点保持手段２２を形成する。この円筒形接点保持手段２２は磁石システム８の内側領域内に圧入され、２つの接点保持素子２３、２４の半円筒形周面２５、２７と、中空円筒形ヨーク部分１４の内面の間にプレス嵌めされている。
【００２１】
２つの接点保持素子２３、２４の各々は夫々保持チャンバ２９、３０をもち、これらのチャンバは夫々の境界面２６または２８に向かって開いている。２つの保持チャンバ２９、３０の各々は全部で３つの部分からなり、即ち、ダイアフラム１７の中心部分１８に面している２つの接点保持素子２３、２４の各々の区域内にある半円筒形凹所３１または３２と、各接点保持素子２３または２４内にあり変換器軸線２に平行に延びる夫々のスロット３３または３４と、ダイアフラム１７の中心部分１８から遠方の側にある区域内で接点保持素子２３、２４の各々に形成された夫々の凹所３５または３６からなる。
【００２２】
各接点保持素子２３、２４の保持チャンバ２９または３０は夫々の平らな境界面２６または２８の側から夫々の保持チャンバ２９、または３０内に挿入された夫々のばね接点３７または３８を収容する。
【００２３】
２つのばね接点３７、３８の各々は夫々第１部分３９または４０をもち、これらは実質上平面１０に平行に延びる。更に、各ばね接点３７または３８は夫々第２部分４１または４２をもち、これらは夫々第１部分３９または４０に関して曲げられており、かつ横に、本例の場合、平面１０に対して直角をなして延びている。２つのばね接点３７、３８の各々は更に、夫々Ｕ形の第３の部分４３または４４をもち、これらの第３の部分４３または４４は夫々第２部分４１または４２から突出しかつ夫々の第２部分４１または４２に関して曲げられている第１脚部４５または４６と、夫々第１脚部４５または４６に関して曲げられている第２脚部４７または４８を夫々もつ。第２脚部４７または４８の自由端４９または５０は夫々番い合う接点と掛合させられる。そのため自由端は湾曲形状を与えられている。
【００２４】
２つの接点保持素子２３、２４の各々はその平らな境界面２６または２８上に夫々突出部５１をもちかつ平らな境界面２６または２８で夫々終端する凹所５２をもつ。図４、５は突出部５１と、第１の接点保持素子２３の凹所５２のみを示す。突出部５１と第２接点保持素子２４の凹所５２は図には見えない。各接点保持素子２３または２４の突出部５１は他方の接点保持素子２４または２３の凹所５２に夫々掛合する。凹所５２は夫々各接点保持素子２３または２４の保持チャンバ２９または３０のスロット３３または３４の区域内に夫々置かれるので、各接点保持素子２３または２４の、凹所５２に掛合する突出部５１は夫々のばね接点３８または３７の一部分を保持する働きがなされる。その部分は他方の接点保持素子２４または２３に夫々掛合する。それは突出部５１の寸法が適切に選択されているからであり、即ち、突出部５１が相応の高さを与えられているからである。
【００２５】
２つの接点保持素子２３、２４から作られている接点保持手段２２の上述の構造に因り、たとえ接点保持手段２２が極めて小さい場合でも、機械的に丈夫な構造が得られ、更に、それは、追加の手段を必要とすることなしに、ばね接点３７、３８を特に簡単で安全な手法で保持するという利点をもつ。それはばね接点３７、３８が、接点保持素子２３、２４の助けをかりて、確実な手法でそれらの作動位置に置かれて保持されるからである。
【００２６】
上述の構成は極めて有利である。かかる電気音響変換器１が高度に小型化された構造をもつ場合であっても、小型化された変換器１の接点保持手段２２は機械的に安定で、丈夫であるという大きな利点を有する。例えば、本出願人によって行われた開発活動の過程で、図１に示す電気音響変換器１が実現された。その変換器ハウジング３の外径はほぼ６．０ｍｍであり、その結果、接点保持手段２２は相応に小さい直径をもつものとして実現されなければならなかった。この点で、変換器１と本発明によって構成されたその保持手段２２は特に有利であることが証明された。
【００２７】
本発明は上述の実施例に限定されるものではない。必要ならば、本発明の変換器は代案として、３つまたは４つの接点保持素子を含んでもよく、その接点保持素子の各々は、ばね接点を担持し、かつ中空円筒形の磁石システムの内側区域内に収容されて保持された接点保持手段を形成するよう接合される。更に、ばね接点には別の形状も可能であり、これらのばね接点は例えば、単にＵ形にすることができることは認められるべきである。
【００２８】
更に、図１乃至５に記載した電気音響変換器１の実施例では、２つの接点保持素子２３、２４のうちの少なくとも１つが、図２に一点鎖線で示す如く、変換器背軸線２に平行に延びる凹所５５を境界面２６または２７にもつ場合には極めて有利であることが証明された。かかる凹所は０．１ｍｍ乃至０．３ｍｍ間の深さと、０．３ｍｍ乃至１．５ｍｍ間の幅をもつことができる。かかる寸法をもつと、境界面２８中のかかる凹所５５は他方の境界面２６と一緒に、音響摩擦を構成する軸線方向チャンネルを形成する。必要ならば、変換器の音響挙動はかかる音響摩擦の助けをかりて望み通りに誘導することができる。
【図面の簡単な説明】
【図１】図１にブロック図で象徴的に示した接点保持手段を含む本発明の電気音響変換器の一部を断面で示す側面図である。
【図２】図１に示す変換器のばね接点をもつ接点保持手段を示す斜視平面図である。
【図３】図１に示す変換器のばね接点をもつ接点保持手段を示す斜視底面図である。
【図４】図２、３に示す接点保持手段のばね接点をもつ接点保持素子を示す下から見た斜視側面図である。
【図５】非組み立て状態にあるばね接点を示す接点保持素子を示す図４に類似の図である。
【国際公開パンフレット】
2004512753.tif 000003
2004512753.tif 000004
2004512753.tif 000005
2004512753.tif 000006
2004512753.tif 000007
2004512753.tif 000008
2004512753.tif 000009
2004512753.tif 000010
2004512753.tif 000011
2004512753.tif 000012
2004512753.tif 000013
【国際公開パンフレット（コレクトバージョン）】
2004512753.tif 000014
【国際調査報告】
2004512753.tif 000015
2004512753.tif 000016